【手続補正書】
【提出日】平成26年3月25日(2014.3.25)
【手続補正１】
【補正対象書類名】特許請求の範囲
【補正対象項目名】全文
【補正方法】変更
【補正の内容】
【特許請求の範囲】
【請求項１】
各セルに基地局を備えたセルラ通信ネットワークで動作するユーザ機器（ＵＥ）ユニットについての困難なモビリティシナリオにおける無線リンク障害を減少させる方法であって、前記方法は、
測定される信号の状況をレポートする前に待ち合わせを行う所定のトリガ時間（ＴＴＴ）が割当てられ、タイマ計時が開始され、周期的にサービングセルと複数の近接セルとに関する信号の状況を測定する工程（１００，９００）と、
チャネル変動を推定する工程（１０６，９０２）と、前記推定を閾値と比較する工程とを実行して、前記チャネル変動がチャネル変動の閾値を超えると判断された場合、
前記ＴＴＴが経過し次のスケジュールされた測定時刻となるときに、前記信号の測定に基づいて、ハンドオーバ発生の可能性が閾値を越えるかどうかを予測する工程と、
測定レポートのための送信ネゴシエーションの遅延を推定する工程と
を含む高速手順を実行して（１１２）、ハンドオーバが予測された場合、前記高速手順は前記ＴＴＴより前で前記推定された遅延に等しい時刻での測定をスケジュールする工程を含み、そのスケジュール後、該スケジュールされた測定時に直接、初期測定レポート要求を送信する工程（２０２，３１２，４００，９１０）に進むようにする工程とを有することを特徴とする方法。
【請求項２】
直接、初期測定レポート要求を送信する工程に進む場合、
前記次のスケジュールされた測定時刻となるときに係らず、前記信号の状況を再検討する工程（２００）と、
前記サービングセルの基地局に、前記初期測定レポート要求を送信する工程（４００）と、
前記サービングセルの前記基地局から初期スケジューリングの許可を受信する工程（４０２）と、
前記初期スケジューリングの許可を受信後、前記サービングセルの前記基地局にバッファサイズ送信要求を送信する工程（４０４）と、
前記要求された送信サイズに関して、前記サービングセルの前記基地局から割当てスケジューリングの許可を受信する工程（４０６）と、
前記セルラ通信ネットワークが前記ＵＥに対するハンドオーバの決定を行うことが可能になるように、前記次のスケジュールされた測定時刻となった後、できる限り早く、前記再検討された信号の状況に基づいて、測定レポートを送信する工程（４０６）をさらに有することを特徴とする請求項１に記載の方法。
【請求項３】
前記チャネル変動を推定する工程は、前記ＵＥの速度を推定する工程を含み、
前記推定を閾値と比較する工程は、前記ＵＥの推定された速度を閾値の速度と比較する工程を含むことを特徴とする請求項１又は２に記載の方法。
【請求項４】
前記高速手順を実行するかどうかの決定はさらに、
初期スケジューリング要求を送信する時刻と測定レポートの送信時刻との間の推定時間差を含む遅延を推定する工程（３００）と、
前記推定された遅延と閾値とを比較する工程（３０２）とを含み、
前記決定は、前記推定された遅延が前記閾値を超える場合、前記高速手順を実行する決定に対して重み付けがなされることを特徴とする請求項１乃至３のいずれか１項に記載の方法。
【請求項５】
前記サービングセルと複数の近接セルとに関する信号の状況を測定する工程は、
セル探索を行う工程と、
基準信号受信電力（ＲＳＲＰ）と基準信号受信品質（ＲＳＲＱ）との内、少なくともいずれかを各セルについて決定する工程とを有することを特徴とする請求項１乃至４のいずれか１項に記載の方法。
【請求項６】
前記ハンドオーバ発生の可能性が閾値を越えるかどうかを予測する工程（３０８）は、
前記サービングセルに対する信号の状況をさらに超える前記複数の近接セルのいずれかについての信号の状況の可能性を判断する工程と、
ハンドオーバが予想されるサービングセルの信号の状況をさらに超える前記複数の近接セルのいずれかについての信号の状況の可能性に対する閾値を決定する工程とを有することを特徴とする請求項１乃至５のいずれか１項に記載の方法。
【請求項７】
前記可能性を判断する工程は、信号の状況の以前の測定に基づいた傾向分析を行う工程を有することを特徴とする請求項６に記載の方法。
【請求項８】
前記可能性を判断する工程は、チャネル状況と変動のより即時的な見通しが得られるように複数の測定レポート間の期間中に信号サンプルを収集するフィルタ定数を減少させる工程を有することを特徴とする請求項６又は７に記載の方法。
【請求項９】
収集された信号サンプルに基づいて少なくとも１つの将来の時刻についての信号の状況を予測する工程をさらに有し、
前記可能性を判断する工程は、前記予測される信号の状況を考慮に入れることを特徴とする請求項６乃至８のいずれか１項に記載の方法。
【請求項１０】
前記チャネル変動を推定する工程（１０６，９０２）は、ドップラーシフトを決定することと、フェーディングチャネルの信号強度シフトを分析することのいずれかにより、前記ＵＥの速度を推定することと、時間ウィンドウの間における突然の変動に関する信号の状況を分析することとのいずれかを含むことを特徴とする請求項１乃至９のいずれか１項に記載の方法。
【請求項１１】
各セルに基地局を備えたセルラ通信ネットワークで動作するのに適したユーザ機器（ＵＥ）装置であって、前記ＵＥ装置（６００）は、
使用時に前記ＵＥ装置の近くの複数の基地局の少なくとも１つの基地局から信号を受信し、信号を前記少なくとも１つの基地局に信号を送信するよう構成されたトランシーバ（６０２）と、
測定される信号の状況をレポートする前に待ち合わせを行う所定のトリガ時間（ＴＴＴ）が割当てられ、タイマ計時が開始され、前記トランシーバにより受信した信号に基づいて、サービングセルと複数の近接セルとに関する信号の状況を周期的に測定するよう構成されたモニタ（６０４）と、
前記測定された信号の状況からチャネル変動を推定し、前記推定したチャネル変動を閾値と比較し、測定レポートのための送信ネゴシエーションの遅延を推定して、前記チャネル変動がチャネル変動の閾値を超えると判断された場合、前記ＴＴＴが経過し次のスケジュールされた測定時刻となるときに、前記信号の測定に基づいて、ハンドオーバ発生の可能性が閾値を越えるかどうかを予測することを含む高速手順を実行して、ハンドオーバが予測された場合、前記高速手順は前記ＴＴＴより前で前記推定された遅延に等しい時刻での測定をスケジュールし、そのスケジュール後、該スケジュールされた測定時に直接、ハンドオーバ処理を開始することに進むように構成された通信コントローラ（６０８）とを有することを特徴とするユーザ機器（ＵＥ）装置。
【請求項１２】
前記通信コントローラ（６０８）はさらに、前記次のスケジュールされた測定時刻に関係して、前記ハンドオーバがおそらく発生するかどうかを予測する際に、
前記サービングセルに対する信号の状況をさらに超える前記複数の近接セルのいずれかについての信号の状況の可能性を判断し、
ハンドオーバが予想されるサービングセルの信号の状況をさらに超える前記複数の近接セルのいずれかについての信号の状況の可能性に対する閾値を決定するよう構成されていることを特徴とする請求項１１に記載のユーザ機器（ＵＥ)装置。
【請求項１３】
前記通信コントローラ（６０８）はさらに、前記可能性を判断する際に、信号の状況の以前の測定に基づいた傾向分析を行うよう構成されていることを特徴とする請求項１２に記載のユーザ機器（ＵＥ）装置。
【請求項１４】
前記通信コントローラ（６０８）はさらに、前記可能性を判断する際に、チャネル状況と変動のより即時的な見通しが得られるように複数の測定レポート間の期間中に信号サンプルを収集する小さくされたフィルタ定数を適用するよう構成されていることを特徴とする請求項１２又は１３に記載のユーザ機器（ＵＥ）装置。
【請求項１５】
プロセッサ（５０２）に請求項１乃至１０のいずれか１項に記載の方法を実行させる命令を含むコンピュータプログラムコードを含むコンピュータプログラム。